(57)【要約】【課題】携帯端末装置の二次電池を非接触充電中に、着信内容の報知と守秘、発呼者との通話、充電パッドからの離脱対策、満充電状態の到来の通知を行えるようにする。【解決手段】携帯端末装置１を充電パッド２に載置して二次電池１３を充電する。この間、携帯端末装置１に着信があると、Ｂｌｕｅｔｏｏｔｈ（登録商標）通信機器３が通信可能に接続されている場合は該機器３に該着信を転送して表示部３１に表示させる。この時、該着信のＬＣＤ表示部１７への表示は省略してユーザのプライバシーを守ることもできる。また、二次電池１３の充電時には、満充電に達したことや、携帯端末装置１が充電パッド２から外されたことをユーザに通知することができる。これらの通知も、Ｂｌｕｅｔｏｏｔｈ通信機器３が通信可能に接続されている場合は該機器を介して、該機器が使用できない場合はＬＣＤ表示部１７を介してユーザに通知する。【選択図】図１
2013145947.tif 000002
【特許請求の範囲】
【請求項１】
二次電池を内蔵する携帯端末装置と、
前記二次電池を充電する電力を非接触で供給する充電パッドと、
前記携帯端末装置との間でローカルな通信を行うことができる通信機器と
を備え、
前記携帯端末装置に前記通信機器を使用する指定が設定されていて、しかも前記携帯端末装置と前記通信機器との間の通信が可能な状態で、前記携帯端末装置の前記充電パッドを用いた充電中に前記携帯端末装置に着信があった時には、前記着信を、前記携帯端末装置から前記通信機器に転送し、前記携帯端末装置のユーザには、前記通信機器を介して前記着信の発呼者と通話させる携帯端末装置の充電システム。
【請求項２】
前記携帯端末装置とペアリング中の前記通信機器が存在する場合は、前記携帯端末装置と前記通信機器との間の通信が可能な状態と判断し、前記携帯端末装置とペアリング中の通信機器が存在しない場合は、前記携帯端末装置と前記通信機器とのペアリングを開始し、該ペアリングが成功した場合に、前記携帯端末装置と前記通信機器との間の通信が可能な状態であると判断する
請求項１に記載の携帯端末装置の充電システム。
【請求項３】
前記携帯端末装置は表示手段を備え、しかるに、前記通信機器の使用時には前記表示手段を作動させない指定が設定されている場合には、前記表示手段の動作を停止させる
請求項１又は２に記載の携帯端末装置の充電システム。
【請求項４】
前記通信機器は、
前記ユーザへの報知手段
を備え、
前記携帯端末装置から前記着信が転送された際には、該転送された着信内容を前記報知手段を介してユーザに報知する
請求項１から３のいずれか一項に記載の携帯端末装置の充電システム。
【請求項５】
前記通信機器に発信者情報を通知する手段が備わっている場合には、前記携帯端末装置から前記着信が転送された際に、前記転送された着信の発信者情報を、前記手段を介して前記ユーザに通知する
請求項４に記載の携帯端末装置の充電システム。
【請求項６】
前記携帯端末装置に前記通信機器を使用すべき指定が設定されていないか、若しくは前記携帯端末装置と前記通信機器との間の通信が不可能な状態で、前記携帯端末装置の前記充電中に前記携帯端末装置に着信があった時には、前記携帯端末装置のユーザには、前記携帯端末装置を介して前記着信の発呼者と通話させる
請求項１に記載の携帯端末装置の充電システム。
【請求項７】
前記携帯端末装置は、
表示手段と、
前記二次電池の充電状況を把握する手段と
を備え、
前記携帯端末装置の前記充電中に前記携帯端末装置に着信があった時には、前記二次電池の充電状況に応じて、前記携帯端末装置をユーザが手に保持した状態での通話が可能か、若しくは前記携帯端末装置を前記充電パッドに載置した状態での通話が可能かの、いずれか１つの指示を前記表示手段を介して前記ユーザに通知する
請求項６に記載の携帯端末装置の充電システム。
【請求項８】
前記携帯端末装置は、
表示手段と、
前記二次電池の出力電圧を測定する手段と
を備え、
前記二次電池が満充電となった場合に、ペアリング中の前記通信機器が存在する場合は該通信機器を介して、また、ペアリング中の前記通信機器が存在しない場合には前記表示手段を介して、前記二次電池が満充電となった事実を前記ユーザに通知する
請求項１に記載の携帯端末装置の充電システム。
【請求項９】
前記携帯端末装置は、
表示手段と、
前記二次電池の充電電流及び出力電圧を測定する手段と
を備え、
前記二次電池の充電電流がカットされて、かつ前記二次電池の出力電圧が満充電に満たない場合に、ペアリング中の前記通信機器が存在する場合は該通信機器を介して、また、ペアリング中の前記通信機器が存在しない場合には前記表示手段を介して、前記二次電池の充電が停止したことを前記ユーザに通知する
請求項１に記載の携帯端末装置の充電システム。
【請求項１０】
少なくとも携帯電話回線網と通信可能に接続された送受信手段と、
二次電池の充電手段と、
充電状況を検知する検知手段と、
情報の表示手段と、
外部のローカルな通信機器との通信を行うローカル通信手段と
を備え、
前記二次電池の充電時に、前記ローカルな通信機器と通信可能に接続されている場合は、前記送受信手段を介しての着信及び着信内容と、前記二次電池の充電状況とを、前記ローカルな通信機器を介してユーザに通知し、この間、前記表示手段への表示を実施させない指定がある場合は前記着信の前記表示手段での表示を実施しない携帯端末装置。
【発明の詳細な説明】
【技術分野】
【０００１】
本発明は、携帯端末装置の充電システム及び携帯端末装置に関する。特に本発明は、充電パッドから供給される充電電力を携帯端末装置において非接触状態で受電させて、該携帯端末装置の内蔵二次電池を充電することができる携帯端末装置の充電システム及び携帯端末装置に関する。
【背景技術】
【０００２】
近年、携帯電話装置等の携帯端末装置においては、非接触充電機能を実現する充電システムが普及している。このシステムにより、ユーザは、携帯端末装置を充電する際に、電力供給用のケーブルを抜き挿しする手間が不要となり、一見して、充電の利便性は向上しているように思える。しかし、これらの充電システムを用いて充電状態を維持し続ける際に、ユーザは、充電する二次電池を内蔵した携帯端末装置を手に保持して操作しながら、その機能を使用することができない。よって、この一点においては、これまでのＡＣアダプタを用いた接触型の充電システムと比較すると不便であると言わざるを得ない。携帯端末装置は、バッテリーを搭載している限りは、該バッテリーを充電して使用するという使用形態が避けられない。しかしながら、このバッテリー充電の必要性が存在することによって携帯端末装置の操作が制限されてしまって、本来の使用形態（手に保持した状態での使用）が禁止となるのであれば、ユーザにとって完全に利便性が向上したとまでは言えない。
【０００３】
また、ユーザが携帯端末装置の存在位置から距離的に離れた場合にも解決を要する課題がある。例えば、非接触充電中は、携帯端末装置を充電パッドに置いているだけの状態なので、第三者の介入等によって該携帯端末装置が充電パッドから外されてしまったような場合には、簡単に充電が停止してしまうことになる。また、携帯端末装置の表示部の表示画面を上側に向けた状態で充電パッドに載置するタイプの機種は、一般家庭や公共の場において、該表示画面を第三者に見られてしまうことにより、該携帯端末装置のユーザのプライバシーが損なわれる場合があり得る。このため、何らかの方法によって、これらの課題を解決し、非接触充電システムの利便性をより一層向上させることが望まれている。
【０００４】
この分野の公知技術としては、例えば、特許文献１には、二次電池を効率良く非接触で充電する技術が開示されている。具体的には、プラグが商用電源コンセントに接続されたとき、周波数変換回路は、商用周波数の電源電力を３個の並列共振回路に等しい所定の周波数の変換電力に変換する。受電部の３個の並列共振回路は、送電部の送信手段からの電力を受信する受信手段として働き、受電部の２個の整流回路は、受信手段の出力を直流電力に変換するものとしている。また、特許文献２には、充電用置台にハンドフリー通話機能を持たせることにより、ヘッドホンの装着や電源の心配をなくし、手間なく使用することができる携帯電話機の充電用載置台が開示されている。具体的には、充電用載置台に設けたスピーカとマイクロホンとを用いてハンドフリー回路により、携帯電話機のハンドフリー通話を可能にする構成としている。
【０００５】
また、特許文献３には、複数の装置の間の無線接続を簡単に行うことができる無線機器接続システムが開示されている。具体的には、第１制御部を備えた第１の端末装置と、第２無線接続インタフェース及びこれを起動する第２制御部を備えた第２の端末装置とから成る無線機器接続システムを開示している。この第２の端末装置は、第１の端末装置がセットされたことを検出してセット信号を出力する検出器を備えたホルダを備える。そして、第２の端末装置の第２制御部は、検出器から送られてくるセット信号に応答して第２無線接続インタフェースを起動し、第１の端末装置と第２の端末装置との間の無線接続を確立するように構成するものとしている。
【０００６】
更に、特許文献４には、発呼及びメールを着信した時に、発信者情報を表示する機能を持った通信端末装置において、第３者に着信表示を見られることによる情報漏洩を防止する通信端末装置が開示されている。具体的には、秘匿表示を行う条件と、発信者識別用のマーク等を予め記憶部に設定しておく。そして、秘匿表示条件を満たした着信を受けると、記憶部に記憶された秘匿者設定情報または秘匿設定されたアドレス帳に登録した発信者情報の代わりに、マーク等を用いた秘匿表示によって着信を知らせる。この秘匿表示を解除する操作がなされた場合は、通常の着信通知に表示を切り替えるものとしている。
【先行技術文献】
【特許文献】
【０００７】
【特許文献１】特開平１１−９８７０６号公報
【特許文献２】特開２００２−２４７１７３号公報
【特許文献３】特開２００４−３１２５３８号公報
【特許文献４】特開２０１０−１８３５３２号公報
【発明の概要】
【発明が解決しようとする課題】
【０００８】
例えば、電磁誘導方式を採用した非接触充電システムの場合、特許文献１にも示されているように、送電側の一次コイルと、受電側の装置に搭載された二次コイルの間の、磁界結合による誘導電流でもって電力送電を実施する仕組みを有している。このため、充電される側の携帯端末装置が該非接触充電システムの充電器から外された場合、コイル間の磁界結合が消失するので、結果として充電を停止させてしまうことになる。より具体的には、公知の非接触充電システムを用いた充電を携帯端末装置に対して実施した場合、以下に箇条書きするような問題点があった。
【０００９】
（１）音声着信により非接触充電が中断してしまう（例えば特許文献１，３，４）。例えば、携帯端末装置が電話等の通信機能を有する場合において、この非接触充電を行うものとすると、該充電中に音声着信等があった場合、ユーザは、該携帯端末装置を充電パッドから外して通話しなければならないため、充電を停止させてしまうことになる。なお、電池残量が少ない状態で携帯端末装置を充電パッドから外してしまうと、他の場面での通話中や操作中に、内蔵の電池が切れてしまって、該携帯端末装置を使用できなくなる局面が到来することもあり得る。その場合、携帯端末装置の使用が著しく制限されてしまうことになる。なお、特許文献２に記載の技術は、この問題点を一応は回避できているが、ハンドフリー状態での通話を強いられるという別の問題点がある。
【００１０】
（２）ユーザが関知しない充電の停止が生じることがある（例えば特許文献１〜４）。但し、ここでは、一般家庭や、公共の場所で携帯端末装置の非接触充電を行う場合を想定する。この場合、携帯端末装置を充電パッドに置いた状態でユーザがその場から離れているときに、何らかの事情（例えば、第三者の手操作の介入や、地震の発生）によって、充電中の携帯端末装置が充電パッドから外れてしまうと、この事態の発生が通知されない。その場合、ユーザが該事態の発生を発見するまでの間、該携帯電話装置は充電が中断したままの状態となってしまう。
【００１１】
（３）ユーザのプライバシーが損なわれることがある（例えば特許文献１〜３）。非接触充電システムは、携帯端末装置の二次コイル側を下にして充電パッドに載置しなければならないという制約がある。このため、一般家庭や公共の場所で携帯端末装置の非接触充電を行っている際中に、該携帯端末装置に音声信号等の着信があると、該携帯端末装置のＬＣＤ表示画面等を介して第三者に発信者の名前が見られてしまう事態が避けられない。この場合はユーザのプライバシーが損なわれてしまう。なお、特許文献４に記載の技術は、この問題点を一応は回避できているが、携帯端末装置のユーザは、ＬＣＤ表示画面に表示されるマークの意味を予め熟知していなければならないという不便さが残る。よって、何らかの手段によって、これらの課題を解決し、非接触充電の利便性をより高めることが必要とされていた。
【００１２】
本発明は、上述した課題を解決する携帯端末装置の充電システム及び携帯端末装置を提供することにある。
【課題を解決するための手段】
【００１３】
上記課題を解決するために、本発明に係る携帯端末装置の充電システムは、二次電池を内蔵する携帯端末装置と、二次電池を充電する電力を非接触で供給する充電パッドと、携帯端末装置との間でローカルな通信を行うことができる通信機器とを備え、携帯端末装置に通信機器を使用する指定が設定されていて、しかも携帯端末装置と通信機器との間の通信が可能な状態で、携帯端末装置の充電パッドを用いた充電中に携帯端末装置に着信があった時には、着信を、携帯端末装置から通信機器に転送し、携帯端末装置のユーザには、通信機器を介して着信の発呼者と通話させることを特徴とする。
【００１４】
また、本発明に係る携帯端末装置は、少なくとも携帯電話回線網と通信可能に接続された送受信手段と、二次電池の充電手段と、充電状況を検知する検知手段と、情報の表示手段と、外部のローカルな通信機器との通信を行うローカル通信手段とを備え、二次電池の充電時に、ローカルな通信機器と通信可能に接続されている場合は、送受信手段を介しての着信及び着信内容と、二次電池の充電状況とを、ローカルな通信機器を介してユーザに通知し、この間、表示手段への表示を実施させない指定がある場合は着信の表示手段での表示を実施しないことを特徴とする。
【発明の効果】
【００１５】
本発明によれば、携帯端末装置を充電パッドに載置して非接触充電を行っている間に、音声着信があった場合にも、携帯端末装置がローカルな通信機器とペアリング済みの状態であれば、非接触充電状態を保った状態で、スムーズに音声通話を開始することができる。
【図面の簡単な説明】
【００１６】
【図１】本発明の実施形態に係る携帯端末装置の充電システムの全体構成を示す構成図である。
【図２】本発明の実施形態に係る携帯端末装置の充電システムにおける携帯端末装置１の、非充電状態から非接触充電状態及び通話状態までの動作を示すフローチャート図（１／３）である。
【図３】本発明の実施形態に係る携帯端末装置の充電システムにおける携帯端末装置１の、非充電状態から非接触充電状態及び通話状態までの動作を示すフローチャート図（２／３）である。
【図４】本発明の実施形態に係る携帯端末装置の充電システムにおける、携帯端末装置１の非充電状態から非接触充電状態及び通話状態までの動作を示すフローチャート図（３／３）である。
【図５】本発明の実施形態に係る携帯端末装置の充電システムにおける、携帯端末装置１の非接触充電状態から充電完了状態までの動作を示すフローチャート図である。
【図６】本発明の実施形態に係る携帯端末装置の充電システムにおける、携帯端末装置１の充電異常停止から充電状態復帰までの動作を示すフローチャート図である。
【発明を実施するための形態】
【００１７】
以下、本発明の携帯端末装置の充電システム及び携帯端末装置の実施形態について、図面を参照して詳細に説明する。図１は、本発明の実施形態に係る携帯端末装置の充電システムの全体構成を示す構成図である。本実施形態の携帯端末装置の充電システムは、携帯端末装置１、充電パッド２、及びＢｌｕｅｔｏｏｔｈ（登録商標）通信機器３（ローカル通信手段）を備える。充電パッド２は、携帯端末装置１に充電用電力を供給する。Ｂｌｕｅｔｏｏｔｈ通信機器３は、携帯端末装置１との間でＢｌｕｅｔｏｏｔｈ通信規格に準拠した通信を行う。
【００１８】
携帯端末装置１は、送受信回路１０（送受信手段）、二次コイル１１（充電手段）、電流検出回路１２（検知手段）、二次電池１３、電圧検出回路１４（検知手段）、制御部１５、Ｂｌｕｅｔｏｏｔｈ通信回路１６、及びＬＣＤ表示部１７（表示手段）を備える。送受信回路１０は、他装置との情報の送受信を行う。二次コイル１１は、充電用電力を受電する。電流検出回路１２は、二次コイル１１を流れる充電電流を検出する。電圧検出回路１４は、二次電池１３の電圧値を検出する。制御部１５は、回路状態を判断して装置全体の動作を制御する。Ｂｌｕｅｔｏｏｔｈ通信回路１６は、Ｂｌｕｅｔｏｏｔｈ通信機器３との間でＢｌｕｅｔｏｏｔｈ通信規格に準拠した通信を行う。この他に、携帯端末装置１は、各種情報処理部等の、一般的な携帯端末装置としての構成要素を備えていても良い。携帯端末装置１は、具体的には携帯電話装置、携帯情報端末装置、携帯ゲーム機器等であって良い。
【００１９】
充電パッド２は、この実施形態では携帯端末装置１を載置できる構成としている。しかしながら、充電パッド２は、充電用の一次コイルを備えて、携帯端末装置１が備える二次コイル１１に充電電流を励起できる構成でありさえすれば良く、形状や詳細構成が限定されるものではない。Ｂｌｕｅｔｏｏｔｈ通信機器３は、少なくとも表示部３１を備えるものとする。また、このＢｌｕｅｔｏｏｔｈ通信機器３の表示部３１は、ＬＣＤ等を用いた表示装置による映像表示機能の他、スピーカやヘッドホン等による音声出力機能や、バイブレータによるバイブレーション機能を有していても良いものとする。また、ローカル通信手段は、この実施形態ではＢｌｕｅｔｏｏｔｈ規格に準拠した通信機能を備えた機器であるものとしている。しかしながら、ローカル通信手段は、任意のＬＡＮ通信規格の通信機能を備えたローカルな通信機器（有線／無線を問わない）であっても良い。
【００２０】
以下、上記のシステム構成において、携帯端末装置１が充電パッド２に載置されたのと同時に、二次コイル１１に充電電流が流れ、二次電池１３への充電が開始されているものとする（非接触充電の開始）。以下、ケース１〜３別に、本実施形態の携帯端末装置の充電システムが備える機能について説明する。
【００２１】
ケース１は、携帯端末装置１の充電中に音声信号の着信があることを想定した機能である。まず、電流検出回路１２は、二次コイル１１に充電電流が流れていることを検出する。二次コイル１１に充電電流が流れている場合、制御部１５は、ペアリング済のＢｌｕｅｔｏｏｔｈ通信機器３が存在しているか否かを判断する。ペアリング済のＢｌｕｅｔｏｏｔｈ通信機器３が存在していない場合は、Ｂｌｕｅｔｏｏｔｈ通信回路１６がＢｌｕｅｔｏｏｔｈ通信機器３とのペアリングを行う。この後、音声着信があった場合には、Ｂｌｕｅｔｏｏｔｈ通信機器３とはペアリング済みの状態であるため、携帯端末装置１を充電パッドに置いたままの状態で、Ｂｌｕｅｔｏｏｔｈ通信機器３を介してスムーズに音声通話を開始することができる。なお、Ｂｌｕｅｔｏｏｔｈ通信機器３を使用しないか、若しくはＢｌｕｅｔｏｏｔｈ通信機器３が使用できない場合には、制御部１５は、装置本体を充電パッドに載置した状態での該装置本体を使用した通話（即ちハンズフリー機能の通話）に切り替える。このようにして、携帯端末装置１のユーザは、やはり音声通話を行うことができる。
【００２２】
ケース２は、携帯端末装置１の充電中に、ユーザが関知しない充電停止が生じることを想定した機能である。即ち、携帯端末装置１が、充電中に充電パッド２から外れ、充電が停止した場合を想定する。携帯端末装置１が、充電中に充電パッド２から外れると、二次コイル１１に充電電流が流れなくなるため、電流検出回路１２が、この状態を検出する。これを受けて、Ｂｌｕｅｔｏｏｔｈ通信回路１６は、この旨を、Ｂｌｕｅｔｏｏｔｈ通信機器３の表示部３１等を介してユーザに報知する。これにより、ユーザは充電が停止したことに気づき、自らの手操作によって携帯端末装置１を元の非接触充電状態に復帰させて、充電完了まで非接触充電状態を維持させ続けることができる。
【００２３】
ケース３は、ユーザのプライバシーが損なわれることに対処することができる機能である。Ｂｌｕｅｔｏｏｔｈ通信機器３と通信可能状態において携帯端末装置１に着信等があった場合、前述の非接触充電中に限り、携帯端末装置１の本体での報知を停止する（より具体的には、ＬＣＤ表示部１７の表示をＯＦＦにする）。そして、この着信の事実及び着信内容等は、Ｂｌｕｅｔｏｏｔｈ通信機器３にのみ報知されることになる。これにより、携帯端末装置１のユーザが、携帯端末装置１の設置場所（即ち充電パッド２の設置場所）から距離的に遠く離れた場所居る場合であっても、該ユーザのみが、の着信内容等を知ることができるので、該ユーザのプライバシーを保つことができる。
【００２４】
図２〜４は、本発明の実施形態に係る携帯端末装置の充電システムにおける、携帯端末装置１の非充電状態から非接触充電状態及び通話状態までの動作を示すフローチャート図である。まず、図１を参照しながら、図２に示す動作について説明する。ステップＳ１０１では、制御部１５は、充電状態ではない場合の動作を継続する。ステップＳ１０２では、制御部１５は、電流検出回路１２によって二次コイルに１１に流れる電流が検出されるまで非充電状態のままで待機し、電流検出回路１２が、二次コイルに１１に流れる電流を検出するとステップＳ１０３に移る。
【００２５】
ステップＳ１０３では、制御部１５が、ユーザによって予め設定されている着信時の動作設定を読み出し、該設定が、「Ｂｌｕｅｔｏｏｔｈ機器使用」である場合はステップＳ１０４に進む。また、該設定が「ハンズフリー」であるか若しくは設定無しの場合はステップＳ１１７（図４）に移る。ステップＳ１０４では、制御部１５が、ペアリング中のＢｌｕｅｔｏｏｔｈ通信機器３（通信可能に既接続されているＢｌｕｅｔｏｏｔｈ通信機器３）が存在するか否かを検証する。そして、ペアリング中のＢｌｕｅｔｏｏｔｈ通信機器３が存在する場合はステップＳ１０５に進む。また、ペアリング中のＢｌｕｅｔｏｏｔｈ通信機器３が存在しない場合はステップＳ１０７に移る。
【００２６】
ステップＳ１０５では、制御部１５が、Ｂｌｕｅｔｏｏｔｈ機器使用時のＬＣＤ表示部１７に関する設定を読み出し、ＬＣＤ表示部１７の表示をＯＦＦ（表示停止）にすべき設定か否かを検証する。そして、ＬＣＤ表示部１７の表示をＯＦＦにすべき設定の場合はステップＳ１０６に進む。またＬＣＤ表示部１７の表示をＯＦＦにすべき設定ではない場合にはステップＳ１０９（図３）に移る。ステップＳ１０６では、制御部１５が、ＬＣＤ表示部１７の表示をＯＦＦにし、ステップＳ１０９（図３）に進む。
【００２７】
ステップＳ１０７では、制御部１５が、Ｂｌｕｅｔｏｏｔｈ通信回路１６を介して、予め設定されたＢｌｕｅｔｏｏｔｈ機器（ここではＢｌｕｅｔｏｏｔｈ通信機器３とのペアリングを開始する。ステップＳ１０８では、制御部１５が、Ｂｌｕｅｔｏｏｔｈ通信機器３とのペアリングが成功したか否かを検証し、Ｂｌｕｅｔｏｏｔｈ通信機器３とのペアリングが成功した場合はステップＳ１０５に移る。また、Ｂｌｕｅｔｏｏｔｈ通信機器３とのペアリングが不成功であった場合はステップＳ１１７（図４）に移る。
【００２８】
次に、図１を参照しながら、図３に示す動作について説明する。ステップＳ１０９では、制御部１５が、Ｂｌｕｅｔｏｏｔｈ通信機器３使用中の非接触充電状態での動作を継続する。ステップＳ１１０では、制御部１５が、送受信回路１０を介して他装置からの着信があるまで待機し、送受信回路１０を介して他装置からの着信があった場合はステップＳ１１１に移る。ステップＳ１１１では、制御部１５が、着信があったことを、Ｂｌｕｅｔｏｏｔｈ通信回路１６を介して、Ｂｌｕｅｔｏｏｔｈ通信機器３に通知する。
【００２９】
ステップＳ１１２では、制御部１５が、Ｂｌｕｅｔｏｏｔｈ通信機器３に発信者情報をユーザに通知する機能があるか否かを検証し、Ｂｌｕｅｔｏｏｔｈ通信機器３に発信者情報をユーザに通知する機能がある場合はステップＳ１１３に進む。また、Ｂｌｕｅｔｏｏｔｈ通信機器３に発信者情報をユーザに通知する機能が無い場合はステップＳ１１４に移る。ステップＳ１１３では、制御部１５が、着信の発信者情報を、Ｂｌｕｅｔｏｏｔｈ通信回路１６を介して、Ｂｌｕｅｔｏｏｔｈ通信機器３に送信し、該発信者情報を表示部３１で表示させた後、ステップＳ１１４に移る。ステップＳ１１４では、制御部１５が、Ｂｌｕｅｔｏｏｔｈ通信機器３の受話ボタンがユーザによって押下されるまで待機し、該受話ボタンが押下されるとステップＳ１１５に移る。
【００３０】
ステップＳ１１５では、制御部１５が、前述の着信における着信者とユーザとの間の、Ｂｌｕｅｔｏｏｔｈ通信機器３を介した通話状態を制御する。ステップＳ１１６では、制御部１５が、Ｂｌｕｅｔｏｏｔｈ通信機器３を介してＢｌｕｅｔｏｏｔｈ通信機器３の受話ボタンがユーザによって再び押下されたこと、又は送受信回路１０を介して前述の着信における着信者の通話が終話となったことを検知する。そして、通話状態の制御を終了し、その後、ステップＳ１０９に戻る。
【００３１】
次に、図１を参照しながら、図４に示す動作について説明する。ステップＳ１１７では、制御部１５が、Ｂｌｕｅｔｏｏｔｈ通信機器３未使用の非接触充電状態での動作を継続する。ステップＳ１１８では、制御部１５が、送受信回路１０を介して他装置からの着信があるまで待機し、送受信回路１０を介して他装置からの着信があった場合はステップＳ１１９に移る。ステップＳ１１９では、制御部１５が、装置本体の受話ボタンが押下されるまで待機し、該受話ボタンが押下されるとステップＳ１２０に進む。
【００３２】
ステップＳ１２０では、制御部１５は、電流検出回路１２によって二次コイル１１に流れる充電電流が検出されているか否かを検証し、該電流が検出されている場合はステップＳ１２１に進む。また、該電流が検出されていない場合はステップＳ１２３に移る。ステップＳ１２１では、制御部１５が、電流検出回路１２によって二次コイル１１に流れる充電電流が検出されているということは、二次電池１３が未充電状態であり、使用可能な電力量は確保されていないと判断する。そして、ユーザに、前述のハンズフリー機能での通話（即ち、装置本体を充電パッド２に載置した状態での通話）を指示すると共に、ステップＳ１２２で終了条件となるまで、該通話状態を制御する。
【００３３】
ステップＳ１２２では、制御部１５が、装置本体の受話ボタンがユーザによって再び押下されたことを検知するか、若しくは送受信回路１０を介して前述の着信における着信者の通話が終話となったことを検知して、通話状態の制御を終了する。その後、ステップＳ１１７に戻る。ステップＳ１２３では、制御部１５が、電流検出回路１２によって二次コイル１１を流れる充電電流が検出されていないということは、二次電池１３が満充電状態であり、使用可能な電力量は確保されているものと判断する。そして、ユーザに、通常の通話（即ち、装置本体を充電パッド２から外した状態での通話を指示すると共に、ステップＳ１２２で終了条件となるまで、該通話状態を制御する。
【００３４】
なお、この動作説明では、ステップＳ１２０での満充電状態の判定に、電流検出回路１２によって二次コイル１１に流れる充電電流が検出されているか否かを検証するものとした。しかしながら、ステップＳ１２０での該満充電状態の判定には、電圧検出回路１４の電圧値を検出する方法を用いても良い。
【００３５】
図５は、本発明の実施形態に係る携帯端末装置の充電システムにおける、携帯端末装置１の非接触充電状態から充電完了状態までの動作を示すフローチャート図である。以下、図１を参照しながら、図５に示すフローチャートを使用して、本実施形態に係る携帯端末装置の充電システムにおける、携帯端末装置１の非接触充電状態から充電完了状態までの動作について説明する。ステップＳ２０１では、制御部１５は、二次コイル１１に流れる充電電流による非接触充電状態を継続する。ステップＳ２０２では、制御部１５は、電圧検出回路１４が検出する二次電池１３の出力電圧値をチェックしながら、二次電池１３が満充電状態となるまでステップＳ２０１の非接触充電状態を継続し、二次電池１３が満充電状態となるとステップＳ２０３に進む。
【００３６】
ステップＳ２０３では、制御部１５は、ペアリング中のＢｌｕｅｔｏｏｔｈ通信機器３の存在を検証し、ペアリング中のＢｌｕｅｔｏｏｔｈ通信機器３が存在する場合はステップＳ２０４に進む。また、Ｂｌｕｅｔｏｏｔｈ通信機器３が存在しない場合はステップＳ２０６に移る。ステップＳ２０４では、制御部１５は、Ｂｌｕｅｔｏｏｔｈ通信回路１６を介して、二次電池１３が満充電状態となったことをＢｌｕｅｔｏｏｔｈ通信機器３に通知し、該通知を表示部３１に出力させ、その後、ステップＳ２０５に進む。これにより、ユーザは、表示部３１の表示画面、報知音、バイブレータのバイブレーション等により、二次電池１３が満充電状態となったことを知ることができる。
【００３７】
ステップＳ２０５では、制御部１５は、非接触充電状態を完了し、完了後の状態を維持する。ステップＳ２０６では、制御部１５は、装置本体のＬＣＤ表示部１７等を介して、二次電池１３が満充電状態となったことをユーザに通知し、その後、ステップＳ２０５に進む。図６は、本発明の実施形態に係る携帯端末装置の充電システムにおける、携帯端末装置１の充電異常停止から充電状態復帰までの動作を示すフローチャート図である。以下、図１を参照しながら、図６に示すフローチャートを使用して、本実施形態に係る携帯端末装置の充電システムにおける、携帯端末装置１の充電異常停止から充電状態復帰までの動作について説明する。ステップＳ３０１では、制御部１５は、二次コイル１１に流れる充電電流による非接触充電状態を継続する。
【００３８】
ステップＳ３０２では、制御部１５は、電流検出回路１２の出力値をチェックして二次コイル１１に流れる電流が絶たれ、かつ電圧検出回路１４の出力値をチェックして二次電池１３が未だ満充電状態で無いこと（非接触充電が異常停止したこと）を検知する。ステップＳ３０３では、制御部１５は、ペアリング中のＢｌｕｅｔｏｏｔｈ通信機器３の存在を検証し、ペアリング中のＢｌｕｅｔｏｏｔｈ通信機器３が存在する場合はステップＳ３０４に進む。また、Ｂｌｕｅｔｏｏｔｈ通信機器３が存在しない場合はステップＳ３０７に移る。
【００３９】
ステップＳ３０４では、制御部１５は、Ｂｌｕｅｔｏｏｔｈ通信回路１６を介して、二次電池１３が充電停止したことをＢｌｕｅｔｏｏｔｈ通信機器３に通知し、該通知を表示部３１に出力させ、その後、ステップＳ３０５に進む。これにより、ユーザは、表示部３１の表示画面、報知音、バイブレータのバイブレーション等により、二次電池１３が充電停止となったことを知ることができる。ステップＳ３０５では、制御部１５は、ユーザ操作により、装置本体が再び充電パッド２に載置された（即ち、非接触充電状態に復帰した）か否かを検証する。この検証は、電流検出回路１２の出力値をチェックして二次コイル１１に流れる電流が復元したことを知ることにより行われる。装置本体が再び充電パッド２に載置された場合はステップＳ３０６に進む。また、装置本体が未だ充電パッド２に載置されていない場合はステップＳ３０８に進む。
【００４０】
ステップＳ３０６では、制御部１５は、非接触充電状態を維持する。ステップＳ３０７では、制御部１５は、装置本体のＬＣＤ表示部１７等を介して、二次電池１３の充電が停止したことをユーザに通知し、その後、ステップＳ３０５に進む。ステップＳ３０８では、制御部１５は、非接触充電の未完了状態を維持する。本実施形態によれば、携帯端末装置１を充電パッド２に載置して非接触充電を行っている場合に、携帯端末装置１に音声着信があっても、Ｂｌｕｅｔｏｏｔｈ通信機器３とペアリング済みの状態であれば、非接触充電状態を保った状態で、音声通話を開始できる。
【００４１】
また、第三者の手操作、あるいは地震等の、何らかの事情によって充電が停止してしまった場合は、装置本体のＬＣＤ表示部１７またはＢｌｕｅｔｏｏｔｈ通信機器３の表示部３１を介してユーザに通知する。この場合は、ユーザが装置本体を再び充電パッド２に載置することにより、充電完了まで非接触充電状態を保つことができる効果がある。更に、装置本体を充電パッドに載置した状態で離席している間に着信等があると、第三者に着信相手が見えてしまってユーザのプライバシーが保たれなくなるという問題点を、非接触充電中にはＢｌｕｅｔｏｏｔｈ通信機器３にのみ着信を報知することで解決できる。
【００４２】
なお、携帯端末装置１の構成要素の処理の少なくとも一部をコンピュータ制御により実行するものとし、上記処理をコンピュータに実行せしめるプログラムは、半導体メモリを始め、ＣＤ−ＲＯＭ等のコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【００４３】
上記の実施形態の一部、又は全部は、以下の付記のようにも記載され得るが、以下には限られない。
【００４４】
（付記１）二次電池を内蔵する携帯端末装置と、前記二次電池を充電する電力を非接触で供給する充電パッドと、前記携帯端末装置との間でローカルな通信を行うことができる通信機器とを備え、前記携帯端末装置に前記通信機器を使用する指定が設定されていて、しかも前記携帯端末装置と前記通信機器との間の通信が可能な状態で、前記携帯端末装置の前記充電パッドを用いた充電中に前記携帯端末装置に着信があった時には、前記着信を、前記携帯端末装置から前記通信機器に転送し、前記携帯端末装置のユーザには、前記通信機器を介して前記着信の発呼者と通話させる携帯端末装置の充電システム。
【００４５】
（付記２）前記携帯端末装置とペアリング中の前記通信機器が存在する場合は、前記携帯端末装置と前記通信機器との間の通信が可能な状態と判断し、前記携帯端末装置とペアリング中の通信機器が存在しない場合は、前記携帯端末装置と前記通信機器とのペアリングを開始し、該ペアリングが成功した場合に、前記携帯端末装置と前記通信機器との間の通信が可能な状態であると判断する付記１に記載の携帯端末装置の充電システム。
【００４６】
（付記３）前記携帯端末装置は表示手段を備え、しかるに、前記通信機器の使用時には前記表示手段を作動させない指定が設定されている場合には、前記表示手段の動作を停止させる付記１又は２に記載の携帯端末装置の充電システム。
【００４７】
（付記４）前記通信機器は、前記ユーザへの報知手段を備え、前記携帯端末装置から前記着信が転送された際には、該転送された着信内容を前記報知手段を介してユーザに報知する付記１から３のいずれか一項に記載の携帯端末装置の充電システム。
【００４８】
（付記５）前記通信機器に発信者情報を通知する手段が備わっている場合には、前記携帯端末装置から前記着信が転送された際に、前記転送された着信の発信者情報を、前記手段を介して前記ユーザに通知する付記４に記載の携帯端末装置の充電システム。
【００４９】
（付記６）前記携帯端末装置に前記通信機器を使用すべき指定が設定されていないか、若しくは前記携帯端末装置と前記通信機器との間の通信が不可能な状態で、前記携帯端末装置の前記充電中に前記携帯端末装置に着信があった時には、前記携帯端末装置のユーザには、前記携帯端末装置を介して前記着信の発呼者と通話させる付記１に記載の携帯端末装置の充電システム。
【００５０】
（付記７）前記携帯端末装置は、表示手段と、前記二次電池の充電状況を把握する手段とを備え、前記携帯端末装置の前記充電中に前記携帯端末装置に着信があった時には、前記二次電池の充電状況に応じて、前記携帯端末装置をユーザが手に保持した状態での通話が可能か、若しくは前記携帯端末装置を前記充電パッドに載置した状態での通話が可能かの、いずれか１つの指示を前記表示手段を介して前記ユーザに通知する付記６に記載の携帯端末装置の充電システム。
【００５１】
（付記８）前記携帯端末装置は、表示手段と、前記二次電池の出力電圧を測定する手段とを備え、前記二次電池が満充電となった場合に、ペアリング中の前記通信機器が存在する場合は該通信機器を介して、また、ペアリング中の前記通信機器が存在しない場合には前記表示手段を介して、前記二次電池が満充電となった事実を前記ユーザに通知する付記１に記載の携帯端末装置の充電システム。
【００５２】
（付記９）前記携帯端末装置は、表示手段と、前記二次電池の充電電流及び出力電圧を測定する手段とを備え、前記二次電池の充電電流がカットされて、かつ前記二次電池の出力電圧が満充電に満たない場合に、ペアリング中の前記通信機器が存在する場合は該通信機器を介して、また、ペアリング中の前記通信機器が存在しない場合には前記表示手段を介して、前記二次電池の充電が停止したことを前記ユーザに通知する付記１に記載の携帯端末装置の充電システム。
【００５３】
（付記１０）少なくとも携帯電話回線網と通信可能に接続された送受信手段と、二次電池の充電手段と、充電状況を検知する検知手段と、情報の表示手段と、外部のローカルな通信機器との通信を行うローカル通信手段とを備え、前記二次電池の充電時に、前記ローカルな通信機器と通信可能に接続されている場合は、前記送受信手段を介しての着信及び着信内容と、前記二次電池の充電状況とを、前記ローカルな通信機器を介してユーザに通知し、この間、前記表示手段への表示を実施させない指定がある場合は前記着信の前記表示手段での表示を実施しない携帯端末装置。
【符号の説明】
【００５４】
１  携帯端末装置
２  充電パッド
３  Ｂｌｕｅｔｏｏｔｈ通信機器
１１  二次コイル
１２  電流検出回路
１３  二次電池
１４  電圧検出回路
１５  制御部
１６  Ｂｌｕｅｔｏｏｔｈ通信回路
１７  ＬＣＤ表示部
３１  表示部
【図１】
2013145947.tif 000003
【図２】
2013145947.tif 000004
【図３】
2013145947.tif 000005
【図４】
2013145947.tif 000006
【図５】
2013145947.tif 000007
【図６】
2013145947.tif 000008